(57)【要約】【課題】ファイルの編集および表示が可能な画像表示装置を提供する。【解決手段】画像表示装置（プロジェクター１）は、遠隔操作装置（リモコン２００）を備える。装置本体１００は、記憶媒体３００からファイルを読取る記憶媒体読取部１３１と、ファイルを送信する第１送信部１２４と、画像データを受信する第１受信部１２５と、画像データを表示する第１表示部（画像投写部１１０）とを有する。遠隔操作装置は、ファイルを受信する第２受信部２２４と、アプリケーションプログラム２２３ａを記憶するアプリケーション記憶部２２３と、アプリケーションプログラムを動作させ、ファイルの編集を行うデータ処理部（第２データ処理部２２２）と、ファイルの内容を表示する第２表示部（表示装置２３２）と、編集操作を受付ける入力操作部（タッチパネル２３１）と、第２表示部の画像データを送信する第２送信部２２５とを有する。【選択図】図２
2011039216.tif 000002
【特許請求の範囲】
【請求項１】
装置本体を遠隔操作するための遠隔操作装置を備えた画像表示装置であって、
前記装置本体は、
記憶媒体に記憶されたファイルを読み取る記憶媒体読取部と、
前記記憶媒体読取部が読み取った前記ファイルを前記遠隔操作装置に送信する第１送信部と、
前記遠隔操作装置から画像データを受信する第１受信部と、
前記第１受信部が受信した前記画像データに基づいた画像を表示する第１表示部と、
を有し、
前記遠隔操作装置は、
前記装置本体から送信された前記ファイルを受信する第２受信部と、
前記ファイルの閲覧や編集を可能とするアプリケーションプログラムを記憶するアプリケーション記憶部と、
前記アプリケーション記憶部に記憶された前記アプリケーションプログラムを動作させて、前記ファイルを開くデータ処理部と、
前記ファイルの内容に基づいた画像の表示を行う第２表示部と、
前記ファイルの閲覧や編集を行うための操作を受け付ける入力操作部と、
前記第２表示部によって表示されている画像に対応する前記画像データを前記装置本体に送信する第２送信部と、
を有することを特徴とする画像表示装置。
【請求項２】
請求項１に記載の画像表示装置であって、
前記遠隔操作装置が有する前記入力操作部に所定の入力操作がなされると、前記第２送信部は、前記アプリケーションプログラムによって編集が行われた編集済ファイルを前記装置本体に送信し、
前記装置本体が有する前記第１受信部は、前記第２送信部から送られた前記編集済ファイルを受信し、
前記装置本体は、前記記憶媒体に前記編集済ファイルを記憶させる記憶媒体書込部を有することを特徴とする画像表示装置。
【請求項３】
請求項１または２に記載の画像表示装置であって、
前記遠隔操作装置が有する前記第２表示部および前記入力操作部は、タッチスクリーンによって構成されていることを特徴とする画像表示装置。
【請求項４】
装置本体を遠隔操作するための遠隔操作装置と、光源と、前記光源から射出された光を画像情報に基づいて変調して画像を形成する光変調装置と、前記光変調装置で形成された前記画像を投写する投写光学系と、を有する画像投写部と、を備えたプロジェクターであって、
前記装置本体は、
記憶媒体に記憶されたファイルを読み取る記憶媒体読取部と、
前記記憶媒体読取部が読み取った前記ファイルを前記遠隔操作装置に送信する第１送信部と、
前記遠隔操作装置から画像データを受信する第１受信部と、
前記第１受信部が受信した前記画像データに基づいた画像を投写する前記画像投写部と、
を有し、
前記遠隔操作装置は、
前記装置本体から送信された前記ファイルを受信する第２受信部と、
前記ファイルの閲覧や編集を可能とするアプリケーションプログラムを記憶するアプリケーション記憶部と、
前記アプリケーション記憶部に記憶された前記アプリケーションプログラムを動作させて、前記ファイルを開くデータ処理部と、
前記ファイルの内容に基づいた画像の表示を行う第２表示部と、
前記ファイルの閲覧や編集を行うための操作を受け付ける入力操作部と、
前記第２表示部によって表示されている画像に対応する前記画像データを前記装置本体に送信する第２送信部と、
を有することを特徴とするプロジェクター。
【請求項５】
ファイルの閲覧や編集を可能とするアプリケーションプログラムを記憶するアプリケーション記憶部を有し、装置本体を遠隔操作するための遠隔操作装置を備えた画像表示装置の制御方法であって、
前記装置本体が、記憶媒体に記憶されたファイルを読み取るファイル読取ステップと、
前記装置本体が、前記ファイルを前記遠隔操作装置に送信する第１送信ステップと、
前記遠隔操作装置が、前記装置本体から送信された前記ファイルを受信する第２受信ステップと、
前記遠隔操作装置が、前記アプリケーション記憶部に記憶された前記アプリケーションプログラムを動作させて、前記ファイルを開くデータ処理ステップと、
前記遠隔操作装置が、前記ファイルの内容に基づいた画像の表示を行う第２表示ステップと、
前記遠隔操作装置が、前記ファイルの閲覧や編集を行うための操作を受け付ける入力操作受付ステップと、
前記遠隔操作装置が、前記第２表示ステップによって表示されている画像に対応する画像データを前記装置本体に送信する第２送信ステップと、
前記装置本体が、前記遠隔操作装置から前記画像データを受信する第１受信ステップと、
前記装置本体が、前記第１受信ステップによって受信された前記画像データに基づいた画像を表示する第１表示ステップと、
を有することを特徴とする画像表示装置の制御方法。
【発明の詳細な説明】
【技術分野】
【０００１】
本発明は、画像表示装置、プロジェクター、および画像表示装置の制御方法に関する。
【背景技術】
【０００２】
従来、パーソナルコンピューターとプロジェクターとを接続して、パーソナルコンピューターで開いているファイルの内容に基づく画像データを投写しながら、プレゼンテーターがプレゼンテーションを行う場合があった。このような場合には、プレゼンテーターは、パーソナルコンピューターによって、ファイルに文字や図形等を追記したり削除したりする編集操作が可能であり、編集したファイルの内容に基づく画像データをプロジェクターで投写することが可能であった。
【０００３】
近年、ＵＳＢ（Universal Serial Bus）メモリー等の記憶媒体に画像データを記憶して、その記憶媒体をプロジェクターに装着することで、記憶媒体に記憶された画像データを投写することが可能なプロジェクターが知られている。このようなプロジェクターによれば、パーソナルコンピューターをプレゼンテーション会場に持ち運んだり、設置したりする必要がないため、利便性が高いという利点があった。しかし、このように記憶媒体に記憶された画像データを投写する場合には、プロジェクターで投写をしながら、画像データに文字や図形等を追記したり削除したりするといった編集操作を行うことができないという問題があった。
【０００４】
特許文献１には、プロジェクターにタッチスクリーンを有し、タッチスクリーンには、画像が表示され、タッチ操作された位置を明示した画像を入力画像に合成し、画像を投写するものが開示されている。また、特許文献１のプロジェクターは、タッチ操作の軌跡を記憶する描画メモリーを備えて、前記軌跡を入力画像に合成して画像を投写することが可能となっている。このようなプロジェクターによれば、入力画像に対して、タッチ操作で入力したメモ書き等を上書きして投写することができる。
【先行技術文献】
【特許文献】
【０００５】
【特許文献１】特開２００８−１２２６５０号公報
【発明の概要】
【発明が解決しようとする課題】
【０００６】
しかしながら、特許文献１に記載のプロジェクターでは、入力画像の画像データに対してメモ書き等を上書きして投写することはできるが、編集可能な文字や図形を含むファイルの内容に基づいた画像を投写する場合においては、そのファイルに対する編集操作、即ち文字や図形等を追記したり削除したりするといった操作は不可能であり、編集操作後の画像を表示することはできなかった。
【課題を解決するための手段】
【０００７】
本発明は、上述の課題の少なくとも一部を解決するためになされたものであり、以下の形態または適用例として実現することが可能である。
【０００８】
［適用例１］本適用例に係る画像表示装置は、装置本体を遠隔操作するための遠隔操作装置を備えた画像表示装置であって、前記装置本体は、記憶媒体に記憶されたファイルを読み取る記憶媒体読取部と、前記記憶媒体読取部が読み取った前記ファイルを前記遠隔操作装置に送信する第１送信部と、前記遠隔操作装置から画像データを受信する第１受信部と、前記第１受信部が受信した前記画像データに基づいた画像を表示する第１表示部と、を有し、前記遠隔操作装置は、前記装置本体から送信された前記ファイルを受信する第２受信部と、前記ファイルの閲覧や編集を可能とするアプリケーションプログラムを記憶するアプリケーション記憶部と、前記アプリケーション記憶部に記憶された前記アプリケーションプログラムを動作させて、前記ファイルを開くデータ処理部と、前記ファイルの内容に基づいた画像の表示を行う第２表示部と、前記ファイルの閲覧や編集を行うための操作を受け付ける入力操作部と、前記第２表示部によって表示されている画像に対応する前記画像データを前記装置本体に送信する第２送信部と、を有することを特徴とする。
【０００９】
このような画像表示装置によれば、装置本体が有する記憶媒体読取部は、記憶媒体に記憶されたファイルを読み取る。第１送信部は、ファイルを遠隔操作装置に送信する。第１受信部は、遠隔操作装置から画像データを受信する。第１表示部は、受信した画像データに基づいた画像を表示する。また、遠隔操作装置が有する第２受信部は、装置本体から送信されたファイルを受信する。アプリケーション記憶部は、ファイルの閲覧や編集を可能とするアプリケーションプログラムを記憶する。データ処理部は、アプリケーションプログラムを動作させて、ファイルを開く。第２表示部は、ファイルの内容に基づいた画像の表示を行う。入力操作部は、ファイルの閲覧や編集を行うための操作を受け付ける。第２送信部は、表示されている画像に対応する画像データを装置本体に送信する。つまり、装置本体は、記憶媒体から読み取ったファイルを遠隔操作装置に送信し、遠隔操作装置では、アプリケーションプログラムによってファイルを閲覧したり編集したりすることが可能となっている。そして、遠隔操作装置は、表示している画像に対応する画像データを装置本体に送信する。装置本体は、受信した画像データに基づいて画像を表示する。これにより、画像表示装置は、パーソナルコンピューター等を使用することなく、記憶媒体に記憶されたファイルの閲覧や編集が可能である。そして、画像表示装置は、編集等を行った後の画像を表示することができるため、利便性が高い。また、ユーザーは、装置本体から離れた位置で、遠隔操作装置を用いて編集をしながらプレゼンテーション等を行うことが可能となるため、利便性が向上する。
【００１０】
［適用例２］上記適用例に係る画像表示装置において、前記遠隔操作装置が有する前記入力操作部に所定の入力操作がなされると、前記第２送信部は、前記アプリケーションプログラムによって編集が行われた編集済ファイルを前記装置本体に送信し、前記装置本体が有する前記第１受信部は、前記第２送信部から送られた前記編集済ファイルを受信し、前記装置本体は、前記記憶媒体に前記編集済ファイルを記憶させる記憶媒体書込部を有することを特徴とする。
【００１１】
このような画像表示装置によれば、遠隔操作装置が有する入力操作部に所定の入力操作がなされると、第２送信部は、編集が行われた編集済ファイルを装置本体に送信する。装置本体が有する第１受信部は、編集済ファイルを受信する。そして、装置本体が有する記憶媒体書込部は、記憶媒体に編集済ファイルを記憶させる。つまり、画像表示装置は、ユーザーによって編集が行われた編集済ファイルを、記憶媒体に記憶させることができる。これにより、画像表示装置は、編集済ファイルを記憶した後で、再度読み出して表示することが可能になるため有益である。
【００１２】
［適用例３］上記適用例に係る画像表示装置において、前記遠隔操作装置が有する前記第２表示部および前記入力操作部は、タッチスクリーンによって構成されていることを特徴とする。
【００１３】
このような画像表示装置によれば、タッチスクリーンを使用してアプリケーションプログラムによって開かれたファイルを表示して、閲覧や編集することが可能である。これにより、遠隔操作装置の操作性が向上する。
【００１４】
［適用例４］本適用例に係るプロジェクターは、装置本体を遠隔操作するための遠隔操作装置と、光源と、前記光源から射出された光を画像情報に基づいて変調して画像を形成する光変調装置と、前記光変調装置で形成された前記画像を投写する投写光学系と、を有する画像投写部と、を備えたプロジェクターであって、前記装置本体は、記憶媒体に記憶されたファイルを読み取る記憶媒体読取部と、前記記憶媒体読取部が読み取った前記ファイルを前記遠隔操作装置に送信する第１送信部と、前記遠隔操作装置から画像データを受信する第１受信部と、前記第１受信部が受信した前記画像データに基づいた画像を投写する前記画像投写部と、を有し、前記遠隔操作装置は、前記装置本体から送信された前記ファイルを受信する第２受信部と、前記ファイルの閲覧や編集を可能とするアプリケーションプログラムを記憶するアプリケーション記憶部と、前記アプリケーション記憶部に記憶された前記アプリケーションプログラムを動作させて、前記ファイルを開くデータ処理部と、前記ファイルの内容に基づいた画像の表示を行う第２表示部と、前記ファイルの閲覧や編集を行うための操作を受け付ける入力操作部と、前記第２表示部によって表示されている画像に対応する前記画像データを前記装置本体に送信する第２送信部と、を有することを特徴とする。
【００１５】
このようなプロジェクターによれば、装置本体は、記憶媒体から読み取ったファイルを遠隔操作装置に送信し、遠隔操作装置では、アプリケーションプログラムによってファイルを閲覧したり編集したりすることが可能となっている。そして、遠隔操作装置は、表示しているファイルの内容に対応する画像を画像データとして装置本体に送信する。装置本体は、受信した画像データに基づいて画像を投写する。これにより、プロジェクターは、パーソナルコンピューター等を使用することなく、記憶媒体に記憶されたファイルを閲覧や編集することが可能である。そして、プロジェクターは、編集等を行った後の画像を投写することができるため、利便性が高い。
【００１６】
［適用例５］本適用例に係る画像表示装置の制御方法は、ファイルの閲覧や編集を可能とするアプリケーションプログラムを記憶するアプリケーション記憶部を有し、装置本体を遠隔操作するための遠隔操作装置を備えた画像表示装置の制御方法であって、前記装置本体が、記憶媒体に記憶されたファイルを読み取るファイル読取ステップと、前記装置本体が、前記ファイルを前記遠隔操作装置に送信する第１送信ステップと、前記遠隔操作装置が、前記装置本体から送信された前記ファイルを受信する第２受信ステップと、前記遠隔操作装置が、前記アプリケーション記憶部に記憶された前記アプリケーションプログラムを動作させて、前記ファイルを開くデータ処理ステップと、前記遠隔操作装置が、前記ファイルの内容に基づいた画像の表示を行う第２表示ステップと、前記遠隔操作装置が、前記ファイルの閲覧や編集を行うための操作を受け付ける入力操作受付ステップと、前記遠隔操作装置が、前記第２表示ステップによって表示されている画像に対応する画像データを前記装置本体に送信する第２送信ステップと、前記装置本体が、前記遠隔操作装置から前記画像データを受信する第１受信ステップと、前記装置本体が、前記第１受信ステップによって受信された前記画像データに基づいた画像を表示する第１表示ステップと、を有することを特徴とする。
【００１７】
このような画像表示装置の制御方法によれば、装置本体は、記憶媒体から読み取ったファイルを遠隔操作装置に送信し、遠隔操作装置では、アプリケーションプログラムによってファイルを閲覧したり編集したりすることが可能となっている。そして、遠隔操作装置は、表示しているファイルの内容に対応する画像を画像データとして装置本体に送信する。装置本体は、受信した画像データに基づいて画像を表示する。これにより、画像表示装置は、パーソナルコンピューター等を使用することなく、記憶媒体に記憶されたファイルを閲覧や編集することが可能である。そして、画像表示装置は、編集等を行った後の画像を表示することができるため、利便性が高い。
【００１８】
また、上述した画像表示装置、および画像表示装置の制御方法が画像表示装置に備えられたコンピューターを用いて構築されている場合には、上記形態および上記適用例は、その機能を実現するためのプログラム、あるいは当該プログラムを前記コンピューターで読み取り可能に記録した記録媒体等の態様で構成することも可能である。記録媒体としては、フレキシブルディスクやハードディスク、ＣＤ−ＲＯＭ（Compact Disk Read Only Memory）、ＤＶＤ（Digital Versatile Disk）、光磁気ディスク、不揮発性メモリーカード、プロジェクターの内部記憶装置（ＲＡＭ（Random Access Memory）やＲＯＭ（Read Only Memory）等の半導体メモリー）、及び外部記憶装置（ＵＳＢメモリー等）等、前記コンピューターが読み取り可能な種々の媒体を利用することができる。
【図面の簡単な説明】
【００１９】
【図１】実施形態に係るプロジェクターの装置本体、およびリモコンを示す図。
【図２】プロジェクターの概略構成を示すブロック図。
【図３】装置本体の状態遷移図。
【図４】装置本体の通常投写状態における処理のフローチャート。
【図５】装置本体の編集投写状態における処理のフローチャート。
【図６】リモコンの状態遷移図。
【図７】リモコンのファイル受信待ち状態における処理のフローチャート。
【図８】リモコンの編集状態における処理のフローチャート。
【発明を実施するための形態】
【００２０】
以下、実施形態について説明する。
【００２１】
（実施形態）
本実施形態では、画像表示装置の実施形態として、遠隔操作装置としてのリモートコントローラー（以降、「リモコン」と呼ぶ）と、画像データに基づく画像を投写して、外部のスクリーン等に表示する装置本体とを有するプロジェクターについて説明する。
【００２２】
図１は、本実施形態に係るプロジェクターの装置本体、およびリモコンを示す図である。ここで、装置本体１００は、背面から見た状態が表されている。また、リモコン２００は正面から見た状態が表されている。
図１に示すように、装置本体１００は、箱状の筐体１００ｋの上面１００ｔに複数の操作キーを有した第１入力操作部１２１が設けられている。また、筐体１００ｋの背面１００ｂには、記憶媒体装着部１３０が設けられており、記憶媒体装着部１３０には、記憶媒体３００が装着されている。
リモコン２００は、画像の表示およびタッチ操作が可能なタッチスクリーン２３０を有した形態となっている。また、リモコン２００は、複数の操作キーを有したキー入力操作部２２１を備えている。さらに、リモコン２００には、タッチスクリーン２３０のタッチパネル２３１を操作するためのタッチペン２００ａが付属されている。
【００２３】
リモコン２００は、タッチスクリーン２３０に表示されている画像ＧＰに対応する画像データを装置本体１００に送信することができる。また、装置本体１００は、リモコン２００から受信した画像データに基づき、スクリーンＳＣに画像ＧＳを投写することができる。
【００２４】
図２は、本実施形態に係るプロジェクター１の概略構成を示すブロック図である。図２を使用して、プロジェクター１の内部構成について説明する。
【００２５】
プロジェクター１は、装置本体１００とリモコン２００とによって構成されている。
装置本体１００は、第１表示部としての画像投写部１１０、第１制御部１２０、第１入力操作部１２１、第１データ処理部１２２、光源制御部１２３、第１送信部１２４、第１受信部１２５、記憶媒体装着部１３０、記憶媒体読取部１３１、画像処理部１３２、記憶媒体書込部１４１等を備えている。
リモコン２００は、第２制御部２２０、キー入力操作部２２１、データ処理部としての第２データ処理部２２２、アプリケーション記憶部２２３、第２受信部２２４、第２送信部２２５、タッチスクリーン２３０等を備えている。
【００２６】
まず、装置本体１００について説明する。
画像投写部１１０は、超高圧水銀ランプやメタルハライドランプ等の放電型光源やＬＥＤ（Light Emitting Diode）等の固体光源からなる光源１１１と、光変調装置としての液晶ライトバルブ１１２と、投写光学系としての投写レンズ１１３と、液晶ライトバルブ１１２を駆動するライトバルブ駆動部１１４とを備えている。
【００２７】
液晶ライトバルブ１１２は、一対の透明基板間に液晶が封入された透過型液晶パネル等によって構成される。ライトバルブ駆動部１１４によって、液晶ライトバルブ１１２の各画素に画像情報に応じた駆動電圧が印加されると、各画素は、画像情報に応じた光透過率で光源光を透過させる。
【００２８】
光源１１１から射出された光は、この液晶ライトバルブ１１２を透過することによって変調され、変調後の光が投写レンズ１１３によって投写されることにより、スクリーンＳＣ等に画像情報に応じた画像が表示される。
【００２９】
第１制御部１２０は、ＣＰＵ（Central Processing Unit）、各種データの一時記憶等に用いられるＲＡＭ、および、マスクＲＯＭやフラッシュメモリー、ＦｅＲＡＭ（Ferroelectric RAM：強誘電体メモリー）等の不揮発性のメモリー等（いずれも図示せず）を備え、コンピューターとして機能するものである。第１制御部１２０は、ＣＰＵが不揮発性のメモリーに記憶されている制御プログラムに従って動作することにより、プロジェクター１の動作を統括制御する。
【００３０】
第１入力操作部１２１は、装置本体１００に対する各種の入力操作を受け付けるための複数のキー等を備えている。第１入力操作部１２１が備えるキーとしては、電源のオン／オフを行うための「電源キー」や、リモコン２００によってファイルの編集表示を行うための「編集表示キー」、各種設定を行うためのメニュー画面の表示／非表示を切り換える「メニューキー」、メニュー画面におけるカーソルの移動に用いられる「カーソルキー」、各種設定を決定するための「決定キー」等がある。ユーザーが第１入力操作部１２１を操作すると、第１入力操作部１２１は、ユーザーの操作内容に応じた操作信号を第１制御部１２０に出力する。
【００３１】
第１データ処理部１２２は、第１制御部１２０の指示に基づいて、ファイルおよび画像データの入出力処理や送受信の制御等を行う。第１データ処理部１２２は、記憶媒体読取部１３１からファイルを入力し、第１送信部１２４に指示を出して、リモコン２００に対してファイルを送信させる。また、第１データ処理部１２２は、リモコン２００から第１受信部１２５が受信した画像データを入力し、画像処理部１３２に出力する。さらに、第１データ処理部１２２は、第１受信部１２５が受信した編集済ファイルを、記憶媒体書込部１４１を介して記憶媒体３００に書き込ませる。また、第１データ処理部１２２は、第１制御部１２０に状態遷移のための通知を出す。
【００３２】
光源制御部１２３は、第１制御部１２０の指示に基づいて、光源１１１に対する電力の供給と停止とを制御し、光源１１１の点灯および消灯を切り換える。
【００３３】
第１送信部１２４は、赤外線通信を用いた通信手段の送信部である。具体的には、ＩｒＤＡ（Infrared Data Association）規格に準拠した通信手段とする。第１送信部１２４は、第１データ処理部１２２の指示に基づいて、記憶媒体読取部１３１から読み出されたファイルの内容に基づいた信号をリモコン２００に送信する。
【００３４】
第１受信部１２５は、ＩｒＤＡ規格に準拠した通信手段の受信部である。第１受信部１２５は、リモコン２００から送信された画像データや編集済ファイルに基づいた信号を受信する。受信した画像データや編集済ファイルは、第１データ処理部１２２に出力する。
【００３５】
記憶媒体装着部１３０は、記憶媒体３００を接続するためのコネクターを有した装着部である。記憶媒体装着部１３０に記憶媒体３００を装着すると、記憶媒体３００と装置本体１００は電気的に接続される。そして、装置本体１００は、記憶媒体３００からファイルや画像データ等を読み取ったり、書き込んだりすることが可能となる。本実施形態では、記憶媒体３００は、ＵＳＢメモリー等のＵＳＢストレージや、メモリーカード等とするが、これに限定するものではない。
【００３６】
記憶媒体読取部１３１は、第１制御部１２０の指示に基づいて、記憶媒体装着部１３０に装着された記憶媒体３００に記憶されている画像データやファイルを読み取る。記憶媒体読取部１３１は、読み取ったデータが画像データの場合は、画像処理部１３２に出力し、ファイルの場合は、第１データ処理部１２２に出力する。ファイルは、リモコン２００が有するアプリケーション記憶部２２３に記憶されているアプリケーションプログラム２２３ａによって開かれ、閲覧や編集が可能なファイル形式とする。本実施形態では、ファイルは、マイクロソフト社（登録商標）のＰｏｗｅｒＰｏｉｎｔや、Ｗｏｒｄ、Ｅｘｃｅｌ等のアプリケーションプログラムで生成される文書データや、テキストデータ等とする。なお、ファイルは、上述したアプリケーションプログラムで生成される文書データに限定するものではなく、他のアプリケーションプログラムで生成されるものとしてもよい。
【００３７】
画像処理部１３２は、第１制御部１２０の指示に基づいて、記憶媒体読取部１３１または第１データ処理部１２２から入力される画像データを画像処理可能な画像情報に変換する。そして、その画像情報に対して、明るさ、コントラスト、シャープネス、色合い等の調整や、ガンマ補正等の各種画質調整を施す。さらに、画像処理部１３２では、必要に応じてＯＳＤ（オンスクリーンディスプレイ）画像を画像情報に重畳する処理を行う。画像処理部１３２は、このような調整および処理を行った画像情報をライトバルブ駆動部１１４に出力する。
【００３８】
ライトバルブ駆動部１１４が、画像処理部１３２から入力される画像情報に従って液晶ライトバルブ１１２を駆動すると、液晶ライトバルブ１１２は、画像情報に応じた画像を形成し、この画像が投写レンズ１１３から投写される。
【００３９】
記憶媒体書込部１４１は、第１データ処理部１２２の指示に基づいて、記憶媒体装着部１３０に装着された記憶媒体３００に対して、ファイルの書き込みを行う。
【００４０】
次に、リモコン２００について説明する。
第２制御部２２０は、ＣＰＵ、各種データの一時記憶等に用いられるＲＡＭ、および、マスクＲＯＭやフラッシュメモリー、ＦｅＲＡＭ等の不揮発性のメモリー等（いずれも図示せず）を備え、コンピューターとして機能するものである。第２制御部２２０は、ＣＰＵが不揮発性のメモリーに記憶されている制御プログラムに従って動作することにより、リモコン２００の動作を統括制御する。
【００４１】
キー入力操作部２２１は、リモコン２００に対する各種のキー入力操作を受け付けるための複数のキーを備えている。キー入力操作部２２１が備えるキーとしては、リモコン２００の電源のオン／オフを行うための「リモコン電源キー」や、装置本体１００の電源のオン／オフを行うための「本体電源キー」等がある。ユーザーがキー入力操作部２２１を操作すると、キー入力操作部２２１は、ユーザーの操作内容に応じた操作信号を第２制御部２２０に出力する。第２制御部２２０は、操作信号に応じて、リモコン２００の制御を行ったり、第２データ処理部２２２および第２送信部２２５を介して装置本体１００に操作信号を送信したりする。
【００４２】
第２データ処理部２２２は、ファイルや画像データを一時記憶したり、編集したりするためのメモリー２２２ａを備えており、第２制御部２２０の指示に基づいて、ファイルおよび画像データの入出力処理や送受信の制御等を行う。さらに、第２データ処理部２２２は、第２制御部２２０の指示に基づき、ファイルの編集処理を行ったり、表示装置２３２に表示させたりする。
【００４３】
具体的には、第２データ処理部２２２は、第２受信部２２４が受信したファイルを入力し、アプリケーション記憶部２２３に記憶されたアプリケーションプログラム２２３ａに基づいてファイルを開き、タッチスクリーン２３０の表示装置２３２に画像として表示させる。そして、第２データ処理部２２２は、第２制御部２２０からの指示に基づいてファイルを編集する。また、第２データ処理部２２２は、表示装置２３２が表示している画像を画像データ（後述する表示更新用画像データ）に変換し、第２送信部２２５を介して装置本体１００に送信させる。また、第２データ処理部２２２は、第２制御部２２０に状態遷移のための通知を出す。
【００４４】
アプリケーション記憶部２２３は、不揮発性のメモリーによって構成されている。アプリケーション記憶部２２３には、ファイルの閲覧や編集を可能とするアプリケーションプログラム２２３ａが記憶されている。アプリケーションプログラム２２３ａは、第２データ処理部２２２により読み出されて、メモリー２２２ａに展開され、ファイルの閲覧や編集に用いられる。本実施形態では、アプリケーションプログラム２２３ａは、マイクロソフト社（登録商標）のＰｏｗｅｒＰｏｉｎｔ、Ｗｏｒｄ、Ｅｘｃｅｌや、テキストエディター等とする。なお、アプリケーションプログラム２２３ａは、これに限定するものではない。
【００４５】
第２受信部２２４は、ＩｒＤＡ規格に準拠した通信手段の受信部である。第２受信部２２４は、装置本体１００から送信されたファイルに基づいた信号を受信する。受信したファイルは、第２データ処理部２２２に出力する。
【００４６】
第２送信部２２５は、ＩｒＤＡ規格に準拠した通信手段の送信部である。第２送信部２２５は、第２データ処理部２２２の指示に基づいて、画像データ（表示更新用画像データ）や編集済ファイルに基づいた信号を装置本体１００に送信する。
【００４７】
タッチスクリーン２３０は、画像を表示する第２表示部としての表示装置２３２と、表示装置２３２上に固定されたタッチパネル２３１とを備えている。表示装置２３２は、第２データ処理部２２２に接続され、タッチパネル２３１は第２制御部２２０に接続されている。
表示装置２３２は、一対の透明基板間に液晶が封入された液晶パネルと、この液晶パネルを駆動する駆動部（図示せず）等によって構成され、各透明基板の内面には、液晶に対して微小領域（画素）毎に駆動電圧を印加可能な透明電極（画素電極）が矩形状の領域（表示領域）内にマトリクス状に形成されている。
【００４８】
第２データ処理部２２２は、第２受信部２２４によって受信されたファイルをアプリケーションプログラム２２３ａによって開き、そのファイルの内容に基づいて表示装置２３２の表示領域に表示するための画像の表示データを生成する。生成された画像の表示データは、フレーム単位で表示装置２３２に出力される。表示装置２３２は、この画像の表示データに基づいた画像を表示する。
【００４９】
タッチパネル２３１は、ガラスや透明プラスチック等の光透過性を有する下側（表示装置２３２側）基板と、プラスチックフィルム等の光透過性及び可撓性を有する上側基板（いずれも図示せず）とが所定の間隔をあけて対向配置された抵抗膜方式のタッチパネルであり、各基板の内面には、透明電極がほぼ全面に渡って形成されている。タッチパネル２３１の上側基板には、タッチ操作（押圧操作）を行うための矩形状の領域（操作領域）が備えられ、ユーザーが指やタッチペン２００ａによって操作領域内をタッチ操作すると、上側基板が撓んで上下の透明電極が接触し、接触した位置（操作位置）に応じた信号（検出信号）が第２制御部２２０に出力される。
【００５０】
ここで、表示装置２３２の表示領域と、タッチパネル２３１の操作領域とは、同一の形状およびサイズに設定されており、タッチパネル２３１は、その操作領域と表示装置２３２の表示領域とが上方から見て一致するように表示装置２３２に固定されている。このため、ユーザーは、表示領域に表示される画像の所望の位置をタッチ操作によって指示することができるようになっている。なお、タッチパネル２３１は、抵抗膜方式に限られず、静電容量方式等、他の方式のタッチパネルを用いることも可能である。
【００５１】
本実施形態では、ユーザーがタッチパネル２３１にタッチ操作を行うことで、アプリケーションプログラム２２３ａによってファイルを開いたり、表示装置２３２に表示されているファイルを編集したりすることを可能とする。また、タッチパネル２３１は、画像データ（表示更新用画像データ）を送信させるための画像送信操作や、編集を終了させるための編集終了操作を受け付ける。なお、本実施形態では、タッチパネル２３１が入力操作部に相当する。
【００５２】
次に、プロジェクター１の装置本体１００の状態遷移について説明する。図３は、本実施形態に係る装置本体１００の状態遷移図である。図３に示すように、装置本体１００は、通常投写状態ＳＴ１０、および編集投写状態ＳＴ１１に遷移可能となっている。
【００５３】
装置本体１００は、装置本体１００の電源オン操作が行われると、通常投写状態ＳＴ１０となる。通常投写状態ＳＴ１０は、装置本体１００が、記憶媒体３００から入力された画像データに基づく画像を投写している状態、即ち通常投写を行っている状態である。通常投写状態ＳＴ１０において、第１入力操作部１２１に備わる編集表示キーが押下されて、編集表示開始操作が行われた場合、装置本体１００は、編集投写状態ＳＴ１１に遷移する。
【００５４】
編集投写状態ＳＴ１１は、装置本体１００が、リモコン２００から受信した表示更新用画像データの信号に基づいて画像を投写している状態である。表示更新用画像データとは、リモコン２００の表示装置２３２に表示されている画像の画像データである。ユーザーは、所望のタイミングで、表示更新用画像データをリモコン２００から送信することにより、表示装置２３２の画像と同様の画像を装置本体１００に投写させることができる。
編集投写状態ＳＴ１１において、第１入力操作部１２１に備わる編集表示キーが押下されて、編集表示終了操作が行われた場合、装置本体１００は、通常投写状態ＳＴ１０に遷移する。また、リモコン２００から編集済ファイルを受信した場合、装置本体１００は、通常投写状態ＳＴ１０に遷移する。
【００５５】
次に、プロジェクター１の装置本体１００の各状態における処理と状態遷移について説明する。
図４は、装置本体１００の通常投写状態ＳＴ１０における処理のフローチャートである。
【００５６】
通常投写状態ＳＴ１０において、第１制御部１２０は、第１入力操作部１２１に備わる編集表示キーが押下され、編集表示開始操作が行われたか否かを判断する（ステップＳ１０１）。編集表示開始操作が行われた場合（ステップＳ１０１：ＹＥＳ）、第１制御部１２０は、記憶媒体読取部１３１に指示を出して、記憶媒体３００からファイルを読み出させて、第１データ処理部１２２に入力させる（ステップＳ１０２）。
【００５７】
第１制御部１２０は、第１データ処理部１２２に指示を出して、第１送信部１２４からファイルをリモコン２００に送信させる（ステップＳ１０３）。そして、第１制御部１２０は、装置本体１００を編集投写状態ＳＴ１１に遷移させる（ステップＳ１０４）。そして、通常投写状態ＳＴ１０における装置本体１００の処理を終了する。
【００５８】
編集表示開始操作が行われていない場合（ステップＳ１０１：ＮＯ）、第１制御部１２０は、その他の操作が行われたか否かを判断する（ステップＳ１０５）。その他の操作が行われた場合（ステップＳ１０５：ＹＥＳ）、第１制御部１２０は、その他の操作に対応した処理を行う（ステップＳ１０６）。そして、ステップＳ１０１に移行する。ここで、その他の操作とは、装置本体１００の第１入力操作部１２１に備わる各種キーの操作や、リモコン２００からの操作信号等を示すが、説明は省略する。また、本実施形態では、通常投写状態ＳＴ１０においては、リモコン２００から表示更新用画像データや編集済ファイルを受信しても、装置本体１００は、対応した処理を行わないものとする。
【００５９】
その他の操作が行われていなければ（ステップＳ１０５：ＮＯ）、ステップＳ１０１に移行する。
【００６０】
図５は、装置本体１００の編集投写状態ＳＴ１１における処理のフローチャートである。
【００６１】
編集投写状態ＳＴ１１において、第１データ処理部１２２は、第１受信部１２５がリモコン２００から表示更新用画像データを受信したか否かを判断する（ステップＳ２０１）。表示更新用画像データを受信した場合（ステップＳ２０１：ＹＥＳ）、第１データ処理部１２２は、受信した表示更新用画像データを画像処理部１３２に出力し、画像投写部１１０から当該表示更新用画像データに基づく画像を投写させる（ステップＳ２０２）。そして、ステップＳ２０１に移行する。
【００６２】
リモコン２００から表示更新用画像データを受信していなければ（ステップＳ２０１：ＮＯ）、第１データ処理部１２２は、第１受信部１２５がリモコン２００から編集済ファイルを受信したか否かを判断する（ステップＳ２０３）。編集済ファイルを受信した場合（ステップＳ２０３：ＹＥＳ）、第１データ処理部１２２は、記憶媒体書込部１４１に指示を出して、受信した編集済ファイルを記憶媒体３００に記憶させる（ステップＳ２０４）。そして、第１データ処理部１２２は、第１制御部１２０に通知を出し、第１制御部１２０は、装置本体１００を通常投写状態ＳＴ１０に遷移させる（ステップＳ２０５）。そして、編集投写状態ＳＴ１１における装置本体１００の処理を終了する。
【００６３】
リモコン２００から編集済ファイルを受信していなければ（ステップＳ２０３：ＮＯ）、第１制御部１２０は、第１入力操作部１２１に備わる編集表示キーが押下され、編集表示終了操作が行われているか否かを判断する（ステップＳ２０６）。編集表示終了操作が行われた場合（ステップＳ２０６：ＹＥＳ）、ステップＳ２０５に移行し、第１制御部１２０は、装置本体１００を通常投写状態ＳＴ１０に遷移させる。そして、編集投写状態ＳＴ１１における装置本体１００の処理を終了する。
【００６４】
編集表示終了操作が行われていなければ（ステップＳ２０６：ＮＯ）、第１制御部１２０は、その他の操作が行われたか否かを判断する（ステップＳ２０７）。その他の操作が行われた場合（ステップＳ２０７：ＹＥＳ）、第１制御部１２０は、その他の操作に対応した処理を行う（ステップＳ２０８）。そして、ステップＳ２０１に移行する。その他の操作が行われていなければ（ステップＳ２０７：ＮＯ）、ステップＳ２０１に移行する。
【００６５】
上述したように、プロジェクター１の装置本体１００は、通常投写状態ＳＴ１０と、編集投写状態ＳＴ１１との間で遷移することができる。
【００６６】
次にプロジェクター１のリモコン２００の状態遷移について説明する。図６は、本実施形態に係るリモコン２００の状態遷移図である。図６に示すように、リモコン２００は、ファイル受信待ち状態ＳＴ２０、および編集状態ＳＴ２１に遷移可能となっている。
【００６７】
リモコン２００は、リモコン２００の電源オン操作が行われると、ファイル受信待ち状態ＳＴ２０となる。ファイル受信待ち状態ＳＴ２０は、リモコン２００が、装置本体１００からファイルの受信待ちをしている状態である。ファイル受信待ち状態ＳＴ２０において、装置本体１００からファイルを受信すると、リモコン２００は、編集状態ＳＴ２１に遷移する。
【００６８】
編集状態ＳＴ２１は、リモコン２００が、装置本体１００から受信したファイルの閲覧や編集を行っている状態である。編集状態ＳＴ２１において、リモコン２００が、閲覧や編集を行っているファイルの内容に対応する表示更新用画像データを装置本体１００に送信すると、装置本体１００は、当該表示更新用画像データに基づく画像を投写する。また、編集状態ＳＴ２１において、リモコン２００が、編集済ファイルを装置本体１００に送信すると、装置本体１００は、当該編集済ファイルを記憶媒体３００に記憶する。編集状態ＳＴ２１において、タッチパネル２３１によって編集終了操作が行われた場合、リモコン２００は、ファイル受信待ち状態ＳＴ２０に遷移する。
【００６９】
次に、プロジェクター１のリモコン２００の各状態における処理と状態遷移について説明する。
図７は、リモコン２００のファイル受信待ち状態ＳＴ２０における処理のフローチャートである。
【００７０】
ファイル受信待ち状態ＳＴ２０において、第２データ処理部２２２は、第２受信部２２４が装置本体１００からファイルを受信したか否かを判断する（ステップＳ３０１）。ファイルを受信した場合（ステップＳ３０１：ＹＥＳ）、第２データ処理部２２２は、受信したファイルをメモリー２２２ａに一時記憶する（ステップＳ３０２）。
【００７１】
第２データ処理部２２２は、アプリケーション記憶部２２３からアプリケーションプログラム２２３ａをメモリー２２２ａに読み込んで起動し、受信したファイルを開いて、編集可能な状態とし、表示装置２３２に表示させる（ステップＳ３０３）。そして、第２データ処理部２２２は、第２制御部２２０に通知を出し、第２制御部２２０は、リモコン２００を編集状態ＳＴ２１に遷移させる（ステップＳ３０４）。そして、ファイル受信待ち状態ＳＴ２０におけるリモコン２００の処理を終了する。
【００７２】
ファイルを受信していなければ（ステップＳ３０１：ＮＯ）、第２制御部２２０は、その他の操作が行われたか否かを判断する（ステップＳ３０５）。その他の操作が行われた場合（ステップＳ３０５：ＹＥＳ）、第２制御部２２０は、その他の操作に対応した処理を行う（ステップＳ３０６）。そして、ステップＳ３０１に移行する。その他の操作が行われていなければ（ステップＳ３０５：ＮＯ）、ステップＳ３０１に移行する。ここで、その他の操作とは、リモコン２００のキー入力操作部２２１に備わる各種キーの操作やタッチパネル２３１のタッチ操作等を示し、当該操作に基づいてリモコン２００の制御を行ったり、装置本体１００に操作信号を送信したりすることを示すが、詳細な説明は省略する。
【００７３】
図８は、リモコン２００の編集状態ＳＴ２１における処理のフローチャートである。
【００７４】
編集状態ＳＴ２１において、第２データ処理部２２２は、タッチパネル２３１へのタッチ操作による編集操作が行われたか否かを判断する（ステップＳ４０１）。編集操作が行われた場合（ステップＳ４０１：ＹＥＳ）、第２データ処理部２２２は、アプリケーションプログラム２２３ａによって編集操作に応じた編集処理を行う（ステップＳ４０２）。そして、ステップＳ４０１に移行する。ここで、編集操作とは、アプリケーションプログラム２２３ａが提供する編集操作であり、ファイルに対する文字や図形の追加や削除、行の移動やページの移動等も含むものとする。
【００７５】
編集操作が行われていなければ（ステップＳ４０１：ＮＯ）、第２データ処理部２２２は、タッチパネル２３１へのタッチ操作による画像送信操作が行われたか否かを判断する（ステップＳ４０３）。画像送信操作が行われた場合（ステップＳ４０３：ＹＥＳ）、第２データ処理部２２２は、表示装置２３２が表示している画像を表示更新用画像データとして、第２送信部２２５から装置本体１００に送信させる（ステップＳ４０４）。そして、ステップＳ４０１に移行する。
【００７６】
画像送信操作が行われていなければ（ステップＳ４０３：ＮＯ）、第２データ処理部２２２は、タッチパネル２３１へのタッチ操作による編集終了操作が行われたか否かを判断する（ステップＳ４０５）。編集終了操作が行われた場合（ステップＳ４０５：ＹＥＳ）、第２データ処理部２２２は、表示装置２３２が表示している画像を表示更新用画像データとして、第２送信部２２５から装置本体１００に送信させる（ステップＳ４０６）。さらに、第２データ処理部２２２は、アプリケーションプログラム２２３ａによって編集が行われた編集済ファイルを、第２送信部２２５から装置本体１００に送信させる（ステップＳ４０７）。
【００７７】
そして、第２データ処理部２２２は、第２制御部２２０に通知を出し、第２制御部２２０は、リモコン２００をファイル受信待ち状態ＳＴ２０に遷移させる（ステップＳ４０８）。そして、編集状態ＳＴ２１におけるリモコン２００の処理を終了する。
【００７８】
編集終了操作が行われていなければ（ステップＳ４０５：ＮＯ）、第２制御部２２０は、その他の操作が行われたか否かを判断する（ステップＳ４０９）。その他の操作が行われた場合（ステップＳ４０９：ＹＥＳ）、第２制御部２２０は、その他の操作に対応した処理を行う（ステップＳ４１０）。そして、ステップＳ４０１に移行する。その他の操作が行われていなければ（ステップＳ４０９：ＮＯ）、ステップＳ４０１に移行する。なお、本実施形態では、タッチパネル２３１による編集終了操作が、所定の入力操作に相当する。
【００７９】
上述したように、プロジェクター１のリモコン２００は、ファイル受信待ち状態ＳＴ２０と、編集状態ＳＴ２１との間で遷移することができる。
【００８０】
上述した実施形態によれば、以下の効果が得られる。
（１）プロジェクター１の装置本体１００は、記憶媒体３００から読み取ったファイルをリモコン２００に送信し、リモコン２００では、アプリケーションプログラム２２３ａによってファイルを閲覧したり編集したりすることができる。そして、リモコン２００が表示しているファイルの内容に対応する画像を、表示更新用画像データとして装置本体１００に送信すると、装置本体１００は、受信した表示更新用画像データに基づいて画像を投写する。これにより、プロジェクター１は、パーソナルコンピューター等を使用することなく、記憶媒体３００に記憶されたファイルを編集することが可能であり、さらに、編集後の画像を投写することができるため、利便性が高い。つまり、パーソナルコンピューターをプレゼンテーション会場に持ち運んだり、設置したりする必要がなく、さらに、ファイルに対して、文字や図形等を追記したり削除したりするといった編集操作を行いながら、画像をプロジェクター１で投写することができるため、効率的なプレゼンテーションを行うことができる。
【００８１】
（２）プロジェクター１は、装置本体１００およびリモコン２００で構成されているため、ユーザーは、装置本体１００から離れた位置で、リモコン２００を用いてプレゼンテーションを行うことが可能となり、利便性が向上する。
【００８２】
（３）プロジェクター１のリモコン２００は、編集終了操作がなされると、編集済ファイルを装置本体１００に送信する。装置本体１００は、編集済ファイルを受信して、記憶媒体３００に編集済ファイルを記憶させる。つまり、プロジェクター１は、ユーザーによって編集が行われた編集済ファイルを、記憶媒体３００に記憶させることができる。これにより、プロジェクター１は、編集済ファイルを記憶した後で、再度読み出して投写することが可能になるため有益である。また、ユーザーは、記憶媒体３００に記憶された編集済ファイルを、パーソナルコンピューター等の他の電子機器に移動させることが可能となるため、利便性が向上する。
【００８３】
（４）プロジェクター１のリモコン２００は、タッチスクリーン２３０を有している。これにより、ユーザーは、タッチスクリーン２３０を使用して、アプリケーションプログラム２２３ａによって開かれたファイルを表示して、閲覧や編集することが可能となり、操作性が向上する。
【００８４】
なお、上述した実施形態に限定されず、種々の変更や改良等を加えて実施することが可能である。変形例を以下に述べる。
【００８５】
（変形例１）上記実施形態では、編集済ファイルを装置本体１００に装着されている記憶媒体３００に記憶させるものとしたが、リモコン２００に不揮発性のメモリーからなるファイル記憶部（図示せず）を備えて、編集済ファイルを記憶させるものとしてもよい。そして、第２データ処理部２２２は、ファイル記憶部から編集済ファイルを読み出して、編集したり、装置本体１００に表示更新用画像データとして送信したりしてもよい。
【００８６】
（変形例２）上記実施形態では、装置本体１００とリモコン２００との通信手段は、ＩｒＤＡ規格に準拠した赤外線通信による通信手段としたが、これに限定するものではない。例えば、無線通信用電波を用いる通信手段としてもよい。
【００８７】
（変形例３）上記実施形態では、所定の入力操作は、タッチパネル２３１へのタッチ操作による編集終了操作としたが、これに限定するものではない。例えば、キー入力操作部２２１に編集済ファイルを送信するためのキーを備えてもよい。
【００８８】
（変形例４）上記実施形態では、画像投写部１１０で投写させる画像データは、記憶媒体３００から入力された画像データ、または、リモコン２００から受信した表示更新用画像データとしているが、装置本体１００に画像入力端子（図示せず）を備え、当該画像入力端子から画像情報を入力して、その画像情報に基づいた画像を投写できるものとしてもよい。
【００８９】
（変形例５）上記実施形態では、画像表示装置としてプロジェクター１を用いて説明しているが、記憶媒体３００に対してファイルの読み書きを可能とし、リモコン２００に対してファイルの送信、および画像データの受信等が可能な装置本体を有する画像表示装置であれば適用することが可能である。例えば、透過型のスクリーンを一体的に備えたリアプロジェクター、あるいは、液晶ディスプレー、プラズマディスプレー、ＳＥＤ（Surface-Conduction Electron-Emitter Display）、有機ＥＬ（Electro Luminescence）ディスプレー、ＣＲＴ（Cathode Ray Tube）ディスプレー等に適用することも可能である。
【００９０】
（変形例６）上記実施形態では、光変調装置として、透過型の液晶ライトバルブ１１２を用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【符号の説明】
【００９１】
１…プロジェクター、１００…装置本体、１００ｋ…筐体、１１０…画像投写部、１１１…光源、１１２…液晶ライトバルブ、１１３…投写レンズ、１１４…ライトバルブ駆動部、１２０…第１制御部、１２１…第１入力操作部、１２２…第１データ処理部、１２３…光源制御部、１２４…第１送信部、１２５…第１受信部、１３０…記憶媒体装着部、１３１…記憶媒体読取部、１３２…画像処理部、１４１…記憶媒体書込部、２００…リモコン、２００ａ…タッチペン、２２０…第２制御部、２２１…キー入力操作部、２２２…第２データ処理部、２２２ａ…メモリー、２２３…アプリケーション記憶部、２２３ａ…アプリケーションプログラム、２２４…第２受信部、２２５…第２送信部、２３０…タッチスクリーン、２３１…タッチパネル、２３２…表示装置、３００…記憶媒体。
【図１】
2011039216.tif 000003
【図２】
2011039216.tif 000004
【図３】
2011039216.tif 000005
【図４】
2011039216.tif 000006
【図５】
2011039216.tif 000007
【図６】
2011039216.tif 000008
【図７】
2011039216.tif 000009
【図８】
2011039216.tif 000010